(57)【要約】【課題】止水板の連設箇所において、地震等による挙動の違いが発生したときでも、止水板の変形等の不具合の発生を防止しながら、本来の防水機能を維持する。【解決手段】複数の止水板２１を連設してある防水構造であって、止水板２１同士の連設箇所には、下地材２に固定されて連設する止水板２１を取り付ける取付機構部５０が備えられ、取付機構部５０は、少なくとも一方側の止水板２１を摺動可能に取り付けてある。【選択図】図５
2019108737.tif 000002
【特許請求の範囲】
【請求項１】
複数の止水板を連設してある防水構造であって、
前記止水板同士の連設箇所には、下地材に固定されて連設する止水板を取り付ける取付機構部が備えられ、
前記取付機構部は、少なくとも一方側の止水板を摺動可能に取り付けてある防水構造。
【請求項２】
前記取付機構部は、前記下地材に固定されて一方側の止水板を摺動可能に取り付ける摺動プレートと、前記下地材に固定されて他方側の止水板を固定状態で取り付ける固定プレートとを備えている請求項１記載の防水構造。
【請求項３】
前記取付機構部は、上下方向で連設する止水板の連設箇所に配置され、上側の止水板を前記摺動プレートに取り付け、且つ、下側の止水板を前記固定プレートに取り付けるように構成され、
上側の止水板の前記摺動プレートへの取付箇所は、下側の止水板の前記固定プレートへの取付箇所よりも外側で且つ下側に配置されている請求項２記載の防水構造。
【請求項４】
前記摺動プレートは、前記止水板の横幅方向に延びる横長のプレートであり、
前記固定プレートは、前記止水板の横幅方向で複数に分割された分割プレートであり、
前記取付機構部は、前記止水板の端部に形成された折曲部に前記摺動プレートの端部を挿入させることで、前記摺動プレートに前記止水板を摺動可能に取り付け、且つ、前記止水板の端部と各分割プレートの端部とを折り曲げて互いに密着させるハゼ継ぎにより、複数の分割プレートに前記止水板を固定状態で取り付けている請求項２又は３記載の防水構造。
【発明の詳細な説明】
【技術分野】
【０００１】
本発明は、建物の外壁や屋根等の防水処理面に沿って複数の止水板を連設してある防水構造に関する。
【背景技術】
【０００２】
上述の防水構造の止水板として、例えば、特許文献１に示す屋根葺板が存在する。この屋根葺板では、長方形の薄鋼板の上端縁を表面側に折り曲げて上端ハゼ部を形成し、薄鋼板の下端縁を裏面側に折り曲げて下端ハゼ部を形成してある。そして、上下方向に隣接配置される両屋根葺板は、それらの下端ハゼ部と上端ハゼ部とを密着状態で係合させたハゼ継ぎにより連設されている。
また、屋根葺板の左右方向の一側端には、他の屋根葺板の左右方向の他側端が差し込み接続可能な二重折り返し部が形成されている。この二重折り返し部の裏面側板部は、下地材である野地板に釘着されている。
【先行技術文献】
【特許文献】
【０００３】
【特許文献１】登録実用新案第３００８１２１号公報
【発明の概要】
【発明が解決しようとする課題】
【０００４】
上述の従来の防水構造では、屋根葺板等の止水板の各々を下地材に固定しながら、止水板の端縁同士を密着状態でハゼ継ぎすることにより構築される。そのため、止水板の連設箇所において、地震等による挙動の違いが発生したとき、止水板同士の接合部には、挙動の違いを吸収することができないため、止水板の脱落や変形等を招来する可能性がある。
【０００５】
この実情に鑑み、本発明の主たる課題は、止水板の連設箇所において、地震等による挙動の違いが発生したときでも、止水板の変形等の不具合の発生を防止しながら、本来の防水機能を維持することのできる防水構造を提供する点にある。
【課題を解決するための手段】
【０００６】
本発明の第１特徴構成は、複数の止水板を連設してある防水構造であって、
前記止水板同士の連設箇所には、下地材に固定されて連設する止水板を取り付ける取付機構部が備えられ、
前記取付機構部は、少なくとも一方側の止水板を摺動可能に取り付けてある点にある。
【０００７】
上記構成によれば、止水板の連設箇所において、地震等による挙動の違いが生じても、取付機構部にて取り付けた止水板が摺動することで、その挙動の違いを吸収することができる。よって、止水板の変形等の不具合の発生を防止しながら、本来の防水機能を維持することができる。
【０００８】
本発明の第２特徴構成は、前記取付機構部は、前記下地材に固定されて一方側の止水板を摺動可能に取り付ける摺動プレートと、前記下地材に固定されて他方側の止水板を固定状態で取り付ける固定プレートとを備えている点にある。
【０００９】
上記構成によれば、地震等による挙動の違いが生じると、他方側の止水板は、下地材に固定された固定プレートにて固定しながら、一方側の止水板は、下地材に固定された摺動プレートに沿って摺動させることができる。これにより、止水板の連設箇所での挙動の違いを適切に吸収することができる。しかも、止水板の取り付けを、摺動プレートと固定プレートとに分けることで、取付作業の簡素化を図りながら、夫々の機能を適切に発揮させることができる。
【００１０】
本発明の第３特徴構成は、前記取付機構部は、上下方向で連設する止水板の連設箇所に配置され、上側の止水板を前記摺動プレートに取り付け、且つ、下側の止水板を前記固定プレートに取り付けるように構成され、
上側の止水板の前記摺動プレートへの取付箇所は、下側の止水板の前記固定プレートへの取付箇所よりも外側で且つ下側に配置されている点にある。
【００１１】
上記構成によれば、上下方向で連設する止水板の連設箇所では、上側の止水板にて下側の止水板を外側から覆うことができる。しかも、外側に位置する上側の止水板の取付箇所を、内側に位置する下側の止水板の取付箇所よりも下方側に位置させることで、下側の止水板の取付箇所等への水の浸入を適切に防止することができる。
【００１２】
本発明の第４特徴構成は、前記摺動プレートは、前記止水板の横幅方向に延びる横長のプレートであり、
前記固定プレートは、前記止水板の横幅方向で複数に分割された分割プレートであり、
前記取付機構部は、前記止水板の端部に形成された折曲部に前記摺動プレートの端部を挿入させることで、前記摺動プレートに前記止水板を摺動可能に取り付け、且つ、前記止水板の端部と各分割プレートの端部とを折り曲げて互いに密着させるハゼ継ぎにより、複数の分割プレートに前記止水板を固定状態で取り付けている点にある。
【００１３】
上記構成によれば、止水板の折曲部に摺動プレートの端部を挿入させるだけで、摺動プレートに止水板を取り付けることができるので、簡易な取付構造にて止水板の摺動を可能とすることができる。しかも、摺動プレートが横長のプレートであるので、止水板が摺動しても、摺動プレートにて止水板を取り付けた状態を維持することができる。また、横幅方向で複数に分割された各分割プレートと止水板とをハゼ継ぎすることで、止水板の取付作業の簡素化を図りながら、止水板を固定状態に適切に取り付けることができる。
【図面の簡単な説明】
【００１４】
【図１】防水構造の外側面図
【図２】防水構造の縦断面図
【図３】防水構造のＡ部の拡大断面図
【図４】防水構造のＢ部の拡大断面図
【図５】防水構造のＣ部の拡大断面図
【発明を実施するための形態】
【００１５】
本発明の実施形態を図面に基づいて説明する。
図１は、建物の外壁の防水構造を外側方から見た外側面図を示し、図２は、外壁の防水構造の縦断面図を示す。建物の外周部に沿って躯体側に取り付けられる複数枚の外壁パネル１により、建物の外壁が構成されている。この外壁を構成する外壁パネル１が、防水構造の下地材２を構成している。本実施形態では、外壁パネル１の外面１ａが部分球面状に湾曲し、建物の外壁が球状に構成されている。
外壁パネル１として、本実施形態では、硝子繊維補強コンクリート製のＧＲＣパネルが用いられている。外壁パネル１の他の具体例としては、ＡＬＣ板（軽量成形セメント板）、ＰＣａ板、押出し成形セメント板、等が挙げられる。
また、図２に示すように、建物の層間変位起点Ｐ（図２の一点鎖線）となるジョイント部に配置される上下の外壁パネル１の接合端部間には、内外方向で連通する目地３が形成されている。目地３には、目地空間の外端を気密又は水密状態に塞ぐシーリング材４と、シーリング材４を建物の内側から支えているバックアップ材５が配設されている。
【００１６】
建物の外壁の防水構造は、図２に示すように、外壁パネル１の外面１ａに二次止水層を構成する二次止水部２０と、二次止水部２０の外側に複数の止水板２１を連設して一次止水層を構成する一次止水部１０と、を備える。
二次止水部２０は、図３〜図５に示すように、外壁パネル１の外面１ａをもって構成される下地面２ａに、ゴムシート用のプライマーを塗布し、塗布されたプライマー層に、ブチルゴム系シートの裏面にブチルゴム系粘着層を形成してある防水シート１１を接着する。
目地３が形成されている上下の外壁パネル１の接合端部においては、図４，図５に示すように、上側の防水シート１１の下端１１ａを目地３の開口上側縁３ａよりも少し上側に偏位した位置に配置し、下側の防水シート１１の上端１１ｂを目地３の開口下側縁３ｂよりも少し下方に偏位した位置に配置する。上側の防水シート１１の下端１１ａと下側の防水シート１１の上端１１ｂとの間には、防水シート１１よりも許容変形の大きいシート状の防水絶縁材（例えば、加硫ゴム系シートに粘着材を積層形成してあるネオルーフィング）１２を重合状態で接着する。具体的には、防水絶縁材１２の上側防水絶縁部１２ａは、図４に示すように、上側の防水シート１１の下側部分と外壁パネル１の外面１ａとの間に入り込み配置した状態で接着する。防水絶縁材１２の下側防水絶縁部１２ｂは、図５に示すように、下側の防水シート１１の上側部分の外面に重合配置した状態で接着する。
【００１７】
一次止水部１０の止水板２１は、図３〜図５に示すように、横長長方形状のガルバリウム鋼板（登録商標）２１ａの裏面に非加硫ブチルゴムシート２１ｂを裏打ちして構成されている。止水板２１の上端板部は、表面側に略下向き「Ｕ」字状に折り曲げて上端ハゼ部２１Ａを形成し、止水板２１の下端板部は、裏面側に略上向き「Ｕ」字状に折り曲げて下端ハゼ部２１Ｂを形成してある。
【００１８】
止水板２１の下端ハゼ部２１Ｂは、図３、図４に示すように、下側に隣接配置される他の止水板２１の上端ハゼ部２１Ａに対して下方又はハゼ部長手方向からハゼ掛け可能（引っ掛け又はつかみ合わせ）に構成されている。ハゼ掛け状態でのハゼ締めにより、止水板２１の下端ハゼ部２１Ｂに対応する非加硫ブチルゴムシート２１ｂの下端部分と下側に隣接配置される他の止水板２１の上端ハゼ部２１Ａに対応する非加硫ブチルゴムシート２１ｂの上端部分とが面接触状態で強く密着する。これにより、上側の止水板２１の下端ハゼ部２１Ｂと下側に隣接配置される他の止水板２１の上端ハゼ部２１Ａとをもって構成されるハゼ継ぎ２２が水密状態に維持される。
【００１９】
また、止水板２１の全長は、外部に露出する左右方向の有効長さと、左右方向で隣接する他の止水板２１との重ね合わせ代（図示省略）との和から構成されている。左右方向で隣接する両止水板２１の重合部分においては、下層の止水板２１のガルバリウム鋼板（登録商標）２１ａと上層の止水板２１の非加硫ブチルゴムシート２１ｂとの間に、非加硫ブチルゴム製の止水ゴム（図示省略）等を介装してある。これにより、雨水の横走りによる水の浸入を防止する。
【００２０】
上述の建物の外壁の防水構造において、図３は、地震等による挙動を吸収しない領域に配置される止水板２１同士の連設箇所を下地材２である外壁パネル１に取り付ける第１取付機構部３０を示す。この第１取付機構部３０は、図２においてはＡで示す領域の止水板２１同士の連設箇所に配設されている。
第１取付機構部３０では、外壁パネル１の外面１ａに接着された防水シート１１における止水板２１の下端側部位に対応する箇所に、上下で隣接する両止水板２１のハゼ継ぎ２２を吊下げ支持する吊子としての金属製（ステンレス製等）の第１固定プレート３１が取り付けられている。第１固定プレート３１は、第１ネジ３２で外壁パネル１に固定されている。
【００２１】
第１固定プレート３１の各々は、縦断面視において略ハット形に折り曲げ形成されている。各第１固定プレート３１の上下中央部は、第１ネジ３２の頭部３２ａが入り込み配置される凹状の第１ネジ取付板片３１Ａに形成されている。この第１ネジ取付板片３１Ａから下側の止水板２１の上端ハゼ部２１Ａの外面側に向かって斜めに延出される第１傾斜板片３１Ｂの先端には、略上向き「Ｕ」字状に折り曲げられた第１係合部３１Ｃが形成されている。この第１係合部３１Ｃは、上側の止水板２１の下端ハゼ部２１Ｂと下側の止水板２１の上端ハゼ部２１Ａとのハゼ掛け間に沿って係合する。また、第１ネジ取付板片３１Ａから上側に延出される板片は、上側の止水板２１の裏面の非加硫ブチルゴムシート２１ｂに接触又は近接する第１支え部３１Ｄに構成されている。
【００２２】
そして、上述の第１取付機構部３０においては、下側の止水板２１の上端ハゼ部２１Ａに対して、第１固定プレート３１の第１係合部３１Ｃを下方から係合し、係合された第１固定プレート３１を第１ネジ３２で外壁パネル１に固定する。その後、係合状態にある下側の止水板２１の上端ハゼ部２１Ａ及び第１固定プレート３１の第１係合部３１Ｃに対して、上側の止水板２１の下端ハゼ部２１Ｂを下方からハゼ掛けし、三者をハゼ締めする。このハゼ締め状態では、第１固定プレート３１の第１係合部３１Ｃの一側面と下側の止水板２１の上端ハゼ部２１Ａに対応する非加硫ブチルゴムシート２１ｂの上端部分とが水密状態で接触する。さらに、第１固定プレート３１の第１係合部３１Ｃの他側面と上側の止水板２１の下端ハゼ部２１Ｂに対応する非加硫ブチルゴムシート２１ｂの下端部分とが水密状態で接触し、ハゼ継ぎ２２が水密状態に維持される。
【００２３】
上述の建物の外壁の防水構造において、図４は、目地３が形成されている上下の外壁パネル１の接合端部に対応する止水板２１と、これの直上側に配置される止水板２１との連設箇所を下地材２である外壁パネル１に取り付ける第２取付機構部４０を示す。この第２取付機構部４０は、図２においてはＢで示す領域の止水板２１同士の連設箇所に配設されている。
第２取付機構部４０は、上述の第１取付機構部３０と略同一である。異なる点は、第１ネジ３２の取り付け位置が、防水絶縁材１２の上側防水絶縁部１２ａと上側の防水シート１１の下端部との重合位置になる。
そのため、その他の構成は、第１取付機構部３０で説明した構成と同一であるから、同一の構成箇所には、第１取付機構部３０と同一の番号を付記してそれの説明は省略する。
【００２４】
上述の建物の外壁の防水構造において、図５は、建物の層間変位起点Ｐとなるジョイント部において、地震等による挙動の違いが発生する止水板２１の連設箇所を下地材２である外壁パネル１に取り付ける第３取付機構部５０を示す。この第３取付機構部５０は、図２においてはＣで示す領域の止水板２１同士の連設箇所に配設されている。
第３取付機構部５０は、目地３が形成されている上下の外壁パネル１の接合端部に配置される止水板２１の下端ハゼ部２１Ｂに対する摺動取付機構部５０Ａと、これの下方に隣接配置される止水板２１の上端ハゼ部２１Ａに対する固定取付機構部５０Ｂと、を備えている。
【００２５】
固定取付機構部５０Ｂでは、外壁パネル１の外面１ａ側で、且つ、防水絶縁材１２の下側防水絶縁部１２ｂと下側の防水シート１１の上側部との重合位置に、下側の止水板２１の上端ハゼ部２１Ａを吊下げ支持する吊子としての金属製（ステンレス製等）の第２固定プレート５１が取り付けられている。第２固定プレート５１は、図１に示すように、止水板２１の横幅方向（左右方向）の複数個所に所定間隔で分散配置される複数の分割プレート５２から構成されている。各分割プレート５２は、第１ネジ３２（図３、図４参照）で外壁パネル１に固定されている。
【００２６】
分割プレート５２の各々は、縦断面視において略ハット形に折り曲げ形成されている。各分割プレート５２の上下中央部は、第１ネジ３２の頭部３２ａ（図３、図４参照）が入り込み配置される凹状の第２ネジ取付板片５２Ａに形成されている。この第２ネジ取付板片５２Ａから下側の止水板２１の上端ハゼ部２１Ａの外面側に向かって斜めに延出される第２傾斜板片５２Ｂには、略上向き「Ｕ」字状に折り曲げられた第２係合部５２Ｃが形成されている。この第２係合部５２Ｃは、下側の止水板２１の上端ハゼ部２１Ａに対して下方から係合する。第２ネジ取付板片５２Ａから上側に延出される板片は、後述する摺動プレート５５に接触する第２支え部５２Ｄに構成されている。
【００２７】
そして、上述の固定取付機構部５０Ｂにおいては、下側の止水板２１の上端ハゼ部２１Ａに対して、分割プレート５２の第２係合部５２Ｃを下方からハゼ掛けし、ハゼ掛けされた分割プレート５２を第１ネジ３２で外壁パネル１に固定する。また、ハゼ掛け状態にある下側の止水板２１の上端ハゼ部２１Ａと分割プレート５２の第２係合部５２Ｃとをハゼ締めする。このハゼ締めにより、ハゼ掛け状態にある下側の止水板２１の上端ハゼ部２１Ａと分割プレート５２の第２係合部５２Ｃとが密着した状態で一体的に接合される。
【００２８】
摺動取付機構部５０Ａでは、外壁パネル１の外面１ａ側で、且つ、防水絶縁材１２の下側防水絶縁部１２ｂと下側の防水シート１１の上側部との重合位置に、上側の止水板２１の下端ハゼ部２１Ｂを横幅方向（左右方向）に沿って摺動自在に取り付ける金属製（ステンレス製等）の摺動プレート５５が取り付けられている。摺動プレート５５は、図１に示すように、止水板２１の横幅方向に延びる横長のプレートに構成されている。本実施形態では、摺動プレート５５の横幅方向の全長は、止水板２１の有効長さよりも少し短く構成されている。
摺動プレート５５は、それの横幅方向の複位置において、第２ネジ５６で外壁パネル１に固定されている。第２ネジ５６による摺動プレート５５のネジ止め位置は、第２固定プレート５１を構成する各分割プレート５２のネジ止め位置に対して止水板２１の横幅方向に偏位した位置に設定されている。
【００２９】
図２、図５に示すように、摺動プレート５５で摺動自在に支持される上側の止水板２１の下端ハゼ部２１Ｂをもって、摺動プレート５５の下端部が摺動自在に挿入される折曲部５９に構成されている。この上側の止水板２１の折曲部５９は、下側の止水板２１の上端ハゼ部２１Ａの外側で、且つ、上端ハゼ部２１Ａの下端２１ｃよりも下方に配置されている。
上述の配置構成により、上側の止水板２１にて下側の止水板２１の上端ハゼ部２１Ａを外側から覆うことができる。しかも、外側に位置する上側の止水板２１の取付箇所である折曲部５９を、内側に位置する下側の止水板２１の取付箇所である上端ハゼ部２１Ａよりも下側に位置させることで、下側の止水板２１の上端ハゼ部２１Ａと分割プレート５２の第２係合部５２Ｃとの接合部等への水の浸入を適切に防止することができる。
【００３０】
摺動プレート５５には、第２ネジ５６の取付け孔が形成されている上端側の第３ネジ取付板片５５Ａと、該第３ネジ取付板片５５Ａから下側の止水板２１の上端ハゼ部２１Ａの外面側に向かって斜めに延出される第３傾斜板片５５Ｂと、該第３傾斜板片５５Ｂの下端から外壁パネル１の外面１ａに沿って延出され、且つ、その下端部が上側の止水板２１の折曲部５９内の摺動溝５９ａに対して上方から摺動自在に挿入される摺動板片５５Ｃと、が備えられている。
また、摺動プレート５５が第２ネジ５６で外壁パネル１に固定された状態では、摺動プレート５５の上端部は、各分割プレート５２の第２支え部５２Ｄの外面側に当接し、摺動プレート５５の第３傾斜板片５５Ｂは、各分割プレート５２の第２傾斜板片５２Ｂの外面側に当接する。さらに、摺動プレート５５の摺動板片５５Ｃの上部側は、各分割プレート５２の第２係合部５２Ｃ外面側に当接する。
【００３１】
そして、上述の摺動取付機構部５０Ａでは、地震等が発生すると、建物の層間変位起点Ｐ（図２の一点鎖線）となるジョイント部に配置される上下の外壁パネル１において挙動の違いが生じる。このとき、層間変位起点Ｐの上側の外壁パネル１に固定状態で取り付けられている止水板２１の折曲部５９は、層間変位起点Ｐの下側の外壁パネル１に固定されている摺動プレート５５の摺動板片５５Ｃに沿って横幅方向（左右方向）に摺動する。
上側の止水板２１の折曲部５９と重合配置される下側の止水板２１の上端ハゼ部２１Ａは、層間変位起点Ｐの下側の外壁パネル１に取り付けられている分割プレート５２の第２係合部５２Ｃにハゼ継ぎ２２で固定状態に維持されている。
これにより、建物の層間変位起点Ｐに配置される両止水板２１の連設箇所での挙動の違いを適切に吸収することができる。しかも、止水板２１の取り付けを、摺動プレート５５と第２固定プレート５１とに分けることで、取付作業の簡素化を図りながら、夫々の機能を適切に発揮することができる。
【００３２】
さらに、上述の摺動取付機構部５０Ａでは、上側の止水板２１に形成されている折曲部５９内の摺動溝５９ａに、摺動プレート５５の摺動板片５５Ｃの下端部を挿入させるだけで、摺動プレート５５に上側の止水板２１を取り付けることができるので、簡易な取付構造にて止水板２１の摺動を可能とすることができる。しかも、摺動プレート５５が横長のプレートであるので、上側の止水板２１が摺動しても、摺動プレート５５にて上側の止水板２１の取り付け状態を維持することができる。また、止水板２１の横幅方向で複数に分割された各分割プレート５２と下側の止水板２１とをハゼ継ぎ２２することで、下側の止水板２１の取付作業の簡素化を図りながら、下側の止水板２１を外壁パネル１に対して固定状態に適切に取り付けることができる。
【００３３】
〔その他の実施形態〕
（１）上述の実施形態では、建物の層間変位起点Ｐとなるジョイント部に配置される上下の両外壁パネル１のうち、下側の外壁パネル１に配設された第３取付機構部５０により、層間変位起点Ｐの上側の外壁パネル１に固定状態で取り付けられている止水板２１の下端部を摺動自在に取り付けたが、この構成に限定されるものではない。例えば、第３取付機構部５０を上側の外壁パネル１に第３取付機構部５０を配設し、この第３取付機構部５０により、層間変位起点Ｐの下側の外壁パネル１に固定状態で取り付けられている止水板２１の上端部を摺動自在に取り付けてもよい。
さらに、層間変位起点Ｐの下側又は上側の外壁パネル１に配設した第３取付機構部５０により、層間変位起点Ｐの上側の外壁パネル１に固定状態で取り付けられている止水板２１の下端部、及び、層間変位起点Ｐの下側の外壁パネル１に固定状態で取り付けられている止水板２１の上端部をそれぞれ摺動自在に取り付けてもよい。
【００３４】
（２）上述の実施形態では、上側の止水板２１の下端部を摺動自在に支持する摺動プレート５５と、下側の止水板２１の上端部を固定状態で取り付ける第２固定プレート５１とを別体に構成したが、摺動プレート５５と第２固定プレート５１と一体形成してもよい。
【００３５】
（３）上述の実施形態では、上側の止水板２１の摺動プレート５５への取付箇所は、下側の止水板２１の第２固定プレート５１への取付箇所よりも外側で且つ下側に配置したが、上側の止水板２１の摺動プレート５５への取付箇所を、下側の止水板２１の第２固定プレート５１への取付箇所よりも外側の略同じ高さ位置に配置してもよい。
【００３６】
（４）上述の実施形態では、摺動プレート５５の横幅方向の全長を、止水板２１の有効長さよりも少し短い単一の横長のプレートから構成したが、摺動プレート５５の横幅方向の全長を、止水板２１の有効長さと同一に構成してもよい。さらに、摺動プレート５５を、止水板２１の有効長さよりも短く、且つ、分割プレート５２よりも長い寸法で複数に分割構成してもよい。
【００３７】
（５）上述の実施形態では、止水板２１の端部に形成された折曲部５９内の摺動溝５９ａに摺動プレート５５の端部を挿入させることで、摺動プレート５５に止水板２１を摺動可能に取り付けたが、この構成に限定されるものではない。例えば、止水板２１の端部と第３取付機構部５０の摺動プレート５５とを長孔・ピン連結構造で摺動自在に取り付けてもよい。
要するに、第３取付機構部５０としては、少なくとも一方側の止水板２１を摺動可能に取り付けることのできるものであればよい。
【００３８】
（６）上述の実施形態では、止水板２１を、ガルバリウム鋼板（登録商標）２１ａの裏面に非加硫ブチルゴムシート２１ｂを裏打ちして構成したが、この構成に限定されるものではない。例えば、ガルバリウム鋼板（登録商標）に換えて、ステンレス板、アルミ板、フッ素鋼板、カラー鉄板等を用いてもよい。非加硫ブチルゴムシート２１ｂの代わりにゴム・アスファルト系粘着シート等を用いてもよい。
【符号の説明】
【００３９】
２        下地材
２１      止水板
２２      ハゼ継ぎ
３０      取付機構部（第１取付機構部）
４０      取付機構部（第２取付機構部）
５０      取付機構部（第３取付機構部）
５１      固定プレート（第２固定プレート）
５２      分割プレート
５５      摺動プレート
５６      折曲部
【図１】
2019108737.tif 000003
【図２】
2019108737.tif 000004
【図３】
2019108737.tif 000005
【図４】
2019108737.tif 000006
【図５】
2019108737.tif 000007